(57)【要約】【課題】スマートフォン等の端末画面の動画に表示される商品にタッチするだけでその商品の購入手続を行うことができる商品情報掲載システムを提供する。【解決手段】複数の商品情報動画を保持する管理サーバ１と、これにインターネット５で連結し、かつ複数の商品掲載サイトとインターネット５で連結している動画広告配信アプリケーション２ａと、これにインターネット５で連結したユーザ端末３を備え、管理サーバ１から動画広告配信アプリケーション２ａを通じてユーザ端末３に商品紹介動画が表示され、ユーザが動画の商品Ｐの画像部分に、タッチするか、又はポインタを合わせてマウスをクリックする操作により商品指定が行われ、商品掲載サイトの一つからユーザ端末３に当該商品の商品情報が送信され当該商品の売買が行われることを特徴とする。【選択図】図１
2016021231.tif 000002
【特許請求の範囲】
【請求項１】
ＥＣサイトに掲載された商品情報にユーザが端末からアクセスして商品を購入するための商品情報掲載システムであって、当該システムは、
複数の商品情報動画を保持する管理サーバと、
上記管理サーバとインターネットで連結し、かつ複数の商品掲載サイトとインターネットで連結している動画広告配信アプリケーションと、  
上記動画広告配信アプリケーションとインターネットで連結したユーザ端末と、
を備え、
上記管理サーバから上記動画広告配信アプリケーションを通じて上記ユーザ端末に商品紹介動画が表示され、上記ユーザが上記動画の商品の画像部分に、タッチするか、又はポインタを合わせてマウスをクリックする操作により商品指定が行われ、これにより上記商品掲載サイトの一つから上記ユーザ端末に当該商品の商品情報が送信されることで当該商品の売買が行われる、
ことを特徴とする商品情報掲載システム。  
【請求項２】
上記商品指定は、上記商品紹介動画において、上記画像部分へ上記操作を行うことにより、上記商品の画像部分に貼られたタグを通じて、上記ユーザ端末が上記商品掲載サイトの一つに掲載された当該商品の商品情報に自動アクセスすることで実行される、ことを特徴とする請求項１に記載の商品情報掲載システム。
【請求項３】
インターネットに掲載された情報にユーザが端末からアクセスして情報取得を行うための情報掲載システムであって、当該システムは、
複数の情報動画を保持する管理サーバと、
上記管理サーバとインターネットで連結し、かつ複数の情報掲載サイトとインターネットで連結している情報配信アプリケーションと、
上記情報配信アプリケーションとインターネットで連結したユーザ端末と、
を備え、
上記管理サーバから上記情報配信アプリケーションを通じて上記ユーザ端末に情報紹介動画が表示され、上記ユーザが上記動画の所定の画像部分に、タッチするか、又はポインタを合わせてマウスをクリックする操作により取得希望情報の指定が行われ、これにより上記情報掲載サイトの一つから上記ユーザ端末に当該情報が送信される、ことを特徴とする情報掲載システム。  
【請求項４】
上記取得希望情報の指定は、上記情報紹介動画において、上記所定の画像部分へ上記操作を行うことにより、上記所定の画像部分に貼られたタグを通じて、上記ユーザ端末が上記情報掲載サイトの一つに掲載された当該情報に自動アクセスすることで実行される、ことを特徴とする請求項３に記載の情報掲載システム。
【発明の詳細な説明】
【技術分野】
【０００１】
本発明は、商品情報掲載システム及び情報掲載システムに関する。
【背景技術】
【０００２】
現在、インターネット上に置かれたウェブサイトに商品やサービスの情報が掲載され、直接購入手続きが行えるいわゆるＥＣ（エレクトロニックコマース＝電子商取引）サイトが多くのユーザに利用されている。
このＥＣサイトは、対象が商品の場合、ユーザ側からすれば実際の店舗で買い物をするのと違って交通費が不要となり、時間も節約となる上に手軽に多くの商品情報を手に入れることができる便利なものである。
【０００３】
また、ネット上に商品を提供する出店者側にとっても、実際の店舗を持つ必要がなく、広く全国あるいは全世界に商品の情報を提供できる等の利点があり、多くの専用のＥＣサイトが運営されている。
【０００４】
さらに、商品以外の多種多様の情報を提供する様々なサイトも存在する。これら従来のＥＣサイトの運営に用いられる商品情報掲載システムや情報掲載システムについては特許文献１、２のような発明が提示されている。
【先行技術文献】
【特許文献】
【０００５】
【特許文献１】特開２００７−２５７２８２号公報
【特許文献２】特開２００９−３０１５１８号公報
【発明の概要】
【発明が解決しようとする課題】
【０００６】
しかしながら、従来の商品情報掲載システムにより運営されるＥＣサイト（以下、単に商品情報掲載システムとも記す。）には以下のような問題点がある。すなわち、商品の表示方法が商品単独の静止画像である場合が通常であって、それら商品が実際に使用されている際のイメージが伝わりにくいという点である。さらに実際に商品の展示されている店舗を訪れて買い物をする場合のイメージ、すなわち店舗の雰囲気や商品の提示方法等も従来の商品情報掲載システムでは伝えることは困難である。また、スマートフォン等の端末画面に表示される商品を実際に購入する場合、従来の商品情報掲載システムでは商品の閲覧のためのいわゆるネットサーフィンにかなりの時間や手間がかかる。また、従来の情報掲載システムにより運営されるＥＣサイト（以下、単に情報掲載システムとも記す。）についても事情は上記と同様である。
【０００７】
これらに対し本発明は、商品の紹介を動画で行うことで、実際に店内を歩いて買い物をする臨場感が得られ、例えばモデルが着用して動いている画像を見ながらその商品のイメージを高め、スマートフォン等に表示される動画の中の商品にタッチするだけでその商品の情報を得ることができ、購入手続までを行うことができる商品情報掲載システムを提供することを課題とする。すなわち、従来のようにキーワード入力による商品情報検索を必要とせず、動画へのタッチのみで商品情報を取得できる新たな商品情報掲載システムを提供することを課題とする。
また、商品だけでなく、種々の情報についてもスマートフォン等の端末画面の動画で紹介し、そこに表示されている情報について、動画の所定部分にタッチするだけで専用の情報掲載サイトに移動してその情報が得られる情報掲載システムを提供することを課題とする。すなわち、従来のようにキーワード入力による情報検索を必要とせず、動画へのタッチのみで情報を取得できる新たな情報掲載システムを提供することを課題とする。
【課題を解決するための手段】
【０００８】
上記課題を解決するために、請求項１の発明は、ＥＣサイトに掲載された商品情報にユーザが端末からアクセスして商品を購入するための商品情報掲載システムであって、複数の商品情報動画を保持する管理サーバと、管理サーバとインターネットで連結し、かつ複数の商品掲載サイトとインターネットで連結している動画広告配信アプリケーションと、動画広告配信アプリケーションとインターネットで連結したユーザ端末を備え、管理サーバから動画広告配信アプリケーションを通じてユーザ端末に商品紹介動画が表示され、ユーザが動画の商品の画像部分に、タッチするか、又はポインタを合わせてマウスをクリックする操作により商品指定が行われ、これにより商品掲載サイトの一つからユーザ端末に当該商品の商品情報が送信されることで当該商品の売買が行われる、ことを特徴とする。  
請求項２の発明は、さらに商品指定は、商品紹介動画において、画像部分へ上記操作を行うことにより、商品の画像部分に貼られたタグを通じて、ユーザ端末が商品掲載サイトの一つに掲載された当該商品の商品情報に自動アクセスすることで実行されることを特徴とする。
請求項３の発明は、インターネットに掲載された情報にユーザが端末からアクセスして情報取得を行うための情報掲載システムであって、複数の情報動画を保持する管理サーバと、管理サーバとインターネットで連結し、かつ複数の情報掲載サイトとインターネットで連結している情報配信アプリケーションと、情報配信アプリケーションとインターネットで連結したユーザ端末を備え、管理サーバから情報配信アプリケーションを通じてユーザ端末に情報紹介動画が表示され、ユーザが動画の所定の画像部分に、タッチするか、又はポインタを合わせてマウスをクリックする操作により取得希望情報の指定が行われ、これにより情報掲載サイトの一つからユーザ端末に当該情報が送信されることを特徴とする。  
請求項４の発明は、さらに取得希望情報の指定は、情報紹介動画において、所定の画像部分へ上記操作を行うことにより、所定の画像部分に貼られたタグを通じて、ユーザ端末が情報掲載サイトの一つに掲載された当該情報に自動アクセスすることで実行されることを特徴とする。
【発明の効果】
【０００９】
本発明により、動画による臨場感に満ちた雰囲気の中で、より商品のイメージが鮮明となり、画面の商品にタッチするだけでその商品の購入情報を入手できるため、ユーザ側には質の高い情報を動画視聴中にワンオペレーションで入手できる利点があり、店側には購入意欲を短時間の内に購入手続きへと導くことができる利点がある。
また、商品情報紹介以外の種々の情報紹介に関しても、動画による情報イメージの鮮明化や各種情報にアクセスする際の容易さによりユーザ側、情報提供側に上記と同様の利点が見込まれる。
【図面の簡単な説明】
【００１０】
【図１】本発明の商品情報掲載システム及び情報掲載システムの全体構成を示す概略図である。
【図２】第１の実施形態のユーザ端末を示す図であり、（ａ）は商品紹介動画を示し、（ｂ）は移動先の商品紹介画面を示す。
【図３】管理サーバの構成を示す概略図である。
【図４】動画広告配信アプリケーション及び情報配信アプリケーションによる端末画面を示す図であり、（ａ）はトップページ、（ｂ）は次ページ、（ｃ）は各社専用ページを示す。
【図５】本発明の商品情報掲載システム用いて商品購入を行う手順を説明するフローチャートである。
【発明を実施するための形態】
【００１１】
以下に、図を用いて本発明の第１の実施形態について説明する。
図１に本発明の商品情報掲載システム及び情報掲載システムの全体構成を示す。
本実施形態の商品情報掲載システムは、管理サーバ１、動画広告配信アプリケーション２ａ、ユーザ端末であるスマートフォン３及びインターネット５から構成される。図２（ａ）にスマートフォン３に表示される商品紹介動画３ａを、図２（ｂ）に商品紹介画面３ｂ、商品情報３ｃを示す。図３、図４にそれぞれ管理サーバ１と、動画広告配信アプリケーション２ａ及び情報配信アプリケーション２ｂの構成を示す。
【００１２】
本実施形態の商品情報掲載システムは、ＥＣサイトに掲載された商品情報にユーザが端末からアクセスして商品を購入するための商品情報掲載システムであって、複数の商品情報動画１０ａ〜１０ｃを保持する管理サーバ１と、管理サーバ１とインターネット５で連結し、複数の商品情報動画１０ａ〜１０ｃを表示する動画広告配信アプリケーション２ａと、その動画広告配信アプリケーション２ａとインターネット５で連結したスマートフォン３とを備え、管理サーバ１から動画広告配信アプリケーション２ａを通じてスマートフォン３に商品紹介動画３ａが表示され、ユーザが画面の商品Ｐの画像部分にタッチする操作により商品指定が行われ、これにより商品掲載サイト６からスマートフォン３に当該商品Ｐの商品情報３ｃが送信され、購入したい場合は商品購入決定用のアイコン３ｄをタッチすることで当該商品Ｐの購入手続きが行われる。
図１に示すように、管理サーバ１に商品情報の掲載を希望する各社の商品情報動画１０ａ〜１０ｃが登録されており、ユーザはスマートフォン３にインストールした動画広告配信アプリケーション２ａを通じてスマートフォン３上の各社商品情報動画１０ａ〜１０ｃに表示されている商品にタッチするだけでその商品の商品掲載サイト６に移動することができ、商品の購入が行なえるのである。商品掲載サイト６から元の各社商品情報動画１０ａ〜１０ｃに戻ることもできる。  
【００１３】
図５のフローチャートを用いて本実施形態の商品情報掲載システムで商品購入を行う手順をさらに詳しく説明する。
ユーザはスマートフォン３で動画広告配信アプリケーション２ａにアクセスし、各社商品情報動画１０ａ〜１０ｃの内の一つの場面である商品紹介動画３ａを受信している（Ｓ１０１）。次に、ユーザは商品紹介動画３ａから気に入った商品Ｐの画像部分を指先でタッチして商品を指定する（Ｓ１０２）。すると、商品Ｐの画像部分に貼りつけられたタグによりその商品Ｐの商品掲載サイト６に移動する。商品掲載サイト６の商品紹介画面３ｂにはその商品Ｐの商品情報３ｃが表示される（Ｓ１０３）。さらに、商品Ｐの商品情報３ｃに合わせて表示されている商品購入決定用のアイコン３ｄをタッチするとその商品の購入が行なえる（Ｓ１０４）。
【００１４】
本実施形態では、商品紹介動画３ａに表示される商品Ｐの画像部分にタグを貼り、動画の画面変化による商品の移動とともにそのタグ設定位置を移動させ、商品Ｐの位置が移動しても商品Ｐの画像部分にタッチすればその商品の商品掲載サイト６に移動でき、商品紹介画面３ｂに画面が切り替わるように設定される。
【００１５】
動画広告配信アプリケーション２ａにはカート機能を持たせて、指定した複数の商品情報３ｃをまとめて表示させる構成とすることもできる。これにより、商品紹介動画３ａと商品情報３ｃの表示サイトを往復する必要はなく、各商品の情報をまとめて速やかに得ることができる。
また、動画広告配信アプリケーション２ａには図４に示すように、各社商品情報動画１０ａ〜１０ｃに各々対応する受信用アイコン３０ａ〜３０ｃが備えられている。ユーザはスマートフォン３で動画広告配信アプリケーション２ａにアクセスし、商品紹介動画３ａを受信する際（上記Ｓ１０１）、具体的にはスマートフォン３に表示される受信用アイコン３０ａ〜３０ｃのいずれかにタッチすることで対応する各社商品情報動画１０ａ〜１０ｃを受信し、スマートフォン３に表示させる。
【００１６】
図４のスマートフォン３に表示される動画広告配信アプリケーション２ａのトップページ４ａには、各社動画１０ａ〜１０ｃの各々の受信用アイコン３０ａ〜３０ｃが新着順に複数並んで表示される。
ここで、各社動画１０ａ〜１０ｃは通常各社ごとに複数が登録される。すなわち、Ａ社の動画１０ａについて言えば、１０ａ１、１０ａ２、１０ａ３というように複数の種類の動画が登録され、それに対応して図４（ａ）に示すスマートフォン３の上記トップページ４ａにはＡ社の動画の受信用アイコン３０ａ１、３０ａ２、３０ａ３が新着順に複数並んで表示され、Ｂ社、Ｃ社の動画や受信用アイコンについても同様に表示される。
【００１７】
ユーザはこれらの受信用アイコンの内からＡ社の動画の1つ（例えば受信用アイコン３０ａ１の動画）を視聴後、図４（ｂ）に示すトップページ４ａの次ページに表示される「お気に入り」の登録ページ４ｂで画面の「はい」をタッチして登録することで、Ａ社のみの受信用アイコン３０ａ１、３０ａ２、３０ａ３が新着順に複数並んで表示され、他社の動画の受信用アイコンが混在して表示されない、図４（ｃ）に示す各社専用のページ４ｃ（この場合Ａ社）を作成することができる。「お気に入り」に登録された会社名はトップページ４ａの「お気に入り」の欄に各社用アイコン４ｄとして表示される。
【００１８】
これとは別の機能として、動画広告配信アプリケーション２ａは、アプリ内検索機能を有している。これは、検索欄４ｅに例えばＢ社の社名を入力し、送信ボタン４ｆをタッチすることで、着信済みのＢ社の受信用アイコン３０ｂ１、３０ｂ２、３０ｂ３（不図示）が検索結果として画面に表示される機能である。上記「お気に入り」に登録する機能との違いは、アプリ内検索機能の方は一時的な検索機能であって、その検索が終了すれば対象の会社、上記例でいえば検索結果としてのＢ社の会社名や受信用アイコンは保存されないという点である。
【００１９】
動画広告配信アプリケーション２ａはさらに、ＱＲコード（登録商標）リーダー機能を有している。これは図４（ａ）のカメラ用アイコン４ｇをタッチしてスマートフォン３の画面を内蔵カメラによる読取画面として作動させ、画面各種製品案内や各種ガイダンス用のポスター等に掲載されているＱＲコード（登録商標）を撮影し、読み取ることで、当該ＱＲコード（登録商標）の会社のホームページや商品紹介動画にアクセスできる機能である。具体的には、例えばＡ社の動画用のＱＲコード（登録商標）を撮影し、読み取りを行うとＡ社の動画の受信用アイコン３０ａ１等が画面に表示され、動画を視聴することが可能となる。
【００２０】
以上説明したように、本実施形態の商品情報掲載システムは、商品紹介動画３ａに表示される商品Ｐの画像部分にタッチするという容易な操作で、その商品Ｐの購入を可能とするシステムである。
商品宣伝用画面が従来にない臨場感あふれる動画で構成されているため、商品を使用する際のイメージ、すなわち商品を着用して外出した場合の雰囲気や周囲の環境とのフィット感等が容易かつ鮮明に得られる。また、商品が現実の店舗に展示されている様子を知らせることもできる。商品が表示されている動画にタッチ等で直ちに商品情報画面あるいは商品購入画面に移動して購入の検討・決定が行え、動画を見ているユーザのニーズにワンオペレーションで瞬時に対応できる点が従来にない特徴である。
【００２１】
従来はＥＣサイトで得た各社の商品情報により商品を購入する場合、ユーザがパソコン等に上記商品情報のキーワードを打ち込む等して各社商品購入サイトのＵＲＬに移動するというプロセスを経る必要があった。これに対し本システムではこのプロセスが省略され、検索をすることなく、表示されている商品の動画にタッチするだけで、すなわち視聴中にワンオペレーションでその商品の商品掲載サイト６の商品紹介画面３ｂに移動することができ、もちろん商品紹介動画３ａに戻ることもできる。
【００２２】
次に、より一般的に商品以外の情報を掲載する場合である第２の実施形態について説明する。本実施形態には後述するように多くの適用例が考えられる。
第２の実施形態の構成について説明する。
インターネットに掲載された情報にユーザが端末からアクセスして情報取得を行うための情報掲載システムであって、複数の情報動画２０ａ〜２０ｃを保持する管理サーバ１と、管理サーバ１とインターネット５で連結し、かつ複数の情報掲載サイト７とインターネット５で連結している情報配信アプリケーション２ｂと、情報配信アプリケーション２ｂとインターネット５で連結したスマートフォン３とを備え、管理サーバ１から情報配信アプリケーション２ｂを通じてスマートフォン３に情報紹介動画（不図示）が表示され、ユーザが動画の所定の画像部分に、タッチする操作により取得希望情報の指定が行われ、これにより情報掲載サイト７の一つからスマートフォン３に当該情報が送信される。
【００２３】
また、情報配信アプリケーション２ｂには図４に示すように、各社情報動画２０ａ〜２０ｃに各々対応する受信用アイコン４０ａ〜４０ｃが備えられている。ユーザはスマートフォン３で情報配信アプリケーション２ｂにアクセスし、情報紹介動画を受信する際、具体的にはスマートフォン３に表示される受信用アイコン４０ａ〜４０ｃのいずれかにタッチすることで対応する各社情報動画２０ａ〜２０ｃを受信し、スマートフォン３に表示させる。
【００２４】
情報紹介動画の所定の画像部分としては、情報の種類、対象によって、物品や人物の画像部分であるとか、情報の名称を付けて情報紹介動画に設けられた専用のアイコンがこれに該当する。
本実施形態では、情報紹介動画に表示される情報（不図示）を示す所定の画像部分にタグを貼り、動画の画面変化による所定の画像部分の移動とともにそのタグ設定位置を移動させ、所定の画像部分の位置が移動してもその画像部分にタッチすればスマートフォン３の画面がその情報掲載サイト７の情報紹介画面に切り替わるように設定される。ユーザは情報紹介画面で取得希望情報の購入等が行なえ、情報紹介画面から情報紹介動画へ戻ることもできる。
【００２５】
第２の実施形態の適用例として学校、企業などの動画カタログとしての使用が可能である。この場合は学校、企業などの紹介の動画に、代表的な風景とともに「沿革」、「組織」、「各種活動」、「アクセス」等の見出しのアイコンにより更なる紹介動画等が上記の商品情報動画３ａに該当する部分となる。さらに詳細な情報が取得できるように、階層的に情報掲載サイト７の情報紹介画面に移動する構成とすることも容易である。
【００２６】
また、観光、観光地、複合施設、美術館、博物館等の紹介サイトに適用して現在のツアー、宿泊施設の印刷広告やＷＥＢ広告の２次元広告を動画広告へ変更し、よりイメージしやすく印象的な広告とすることもできる。
具体的には、現状のツアー紹介は文字や写真で説明されているが、その部分を動画で紹介し、動画の所定部分にタッチすれば直接予約、地産品の購入、地元の情報入手などを行う情報掲載サイト７の情報紹介画面（以下、単にサイトとも記す）に移動することができる。
【００２７】
飲食店、小売店などの店舗についてもその店舗を動画で表示して、予約情報、メニュー、店内外情報、スタフの情報、などの広告や新メニューの紹介などを行うことができる。レストラン予約、持ち帰り、出前、販売物の予約、購入などを行うこともできる。
【００２８】
アミューズメント施設の紹介サイトでは園内映像から各アトラクション詳細情報や前売りチケット購入用の画面へとタッチだけで移動することができる。
【００２９】
野球、サッカー、カーレース、スケートショーなどの選手や会場施設の紹介に適用して、動画で選手、監督、チームを紹介し、各選手の画像にタッチすれば個人成績等の情報紹介画面に移動することができ、動画の車の画像にタッチすればその車のパーツ紹介、スポンサー情報紹介のサイトに移動することができる。それぞれの施設にタッチしてその施設の販売物の紹介、イベントのチケットの予約、購入を行うサイトに移動することができる。
【００３０】
不動産業の新築マンションや街並みや最寄駅の映像による照会に適用して、内覧予約、街情報、駅情報の入手が行なえる。
【００３１】
結婚式場の紹介に適用して、実際の結婚式の映像をいくつかの式場について繋げて使用して、気になった式場の映像にタッチするだけで、式場の予約やブライダルフェアの予約が行える。さらに、結婚で必要になってきそうなものの通販、情報などのサイトにつなげることができる。
【００３２】
Ｅラーニングでよく使用されるホワイトボードやパワポで講師が解説する映像
に適用して、分からない所や、難しい言葉、復習のポイントにアイコン設置し、タッチするだけで該当ページに移動し、さらに詳細な情報を得ることができる。
【００３３】
インターネット上の音楽番組のランキング等、様々なアーティストの曲が流れてくる映像に適用してＣＤを購入したり、ｉｔｕｎｅｓで曲を購入したりできる。また、通販レンタルサイトへ移動することもできる。
【００３４】
インターネット上の通販レンタルサイトの商品ランキング動画映像に適用して、アイコンを設置することにより、動画映像から直接商品を借りることができる。
【００３５】
交通機関の情報に適用して、車両の情報、スタッフ、運転手、駅構内外の情報を公開することができる。また、車内販売物、駅構内の販売物、各鉄道会社の独自商品の予約、販売、購入に適用してそれらの詳細情報を得ることができる。
【００３６】
インターネット上の動画で街情報を公開し、地図とリンクさせて場所の情報提供を行うことができる。さらに、街の店内の動画から直接商品の情報を得ることや、予約、販売、購入を行うことができる。
【００３７】
インターネット上の動画で商店街、店舗、イベント情報などの情報公開し、動画から直接商品の情報を得ることや、予約、販売、購入を行うことができる。
【００３８】
ＴＶ番組に適用して、番組内で気になったものをタッチまたはクリックすることで、その商品の情報を得ることや、予約、販売、購入を行うことができる。
【００３９】
ＷＥＢサイトに適用して、動画視聴中気になった物をタッチまたはクリックすることで、その商品の情報を得ることや、予約、販売、購入を行うことができる。
【００４０】
ＥＣサイト、まとめサイト、個人サイト、企業サイト等のＷＥＢ市場を持つサイトに動画を組み込んで、動画から直接商品の情報を得ることや、予約、販売、購入を行うことができるサイトとすることができる。
【００４１】
インターネット上の動画や地図から、自分の現在位置に対して喫煙場の位置情報を得ることや、たばこ販売店の情報を得ること、さらに商品の予約、購入を行うことができる。
【００４２】
本実施形態のユーザ端末はスマートフォンであるが、媒体としては他にタブレット、ＰＣ、ＴＶといったものが挙げられる。また、カーナビ、ウォークマン（登録商標）といった媒体にも適用可能と考えられる。
【００４３】
本実施形態の情報掲載システムの基本的性能としては、媒体がスマートフォン、タブレット等のタッチパネルの場合は、ユーザが動画に表示される商品の画像部分に指先でタッチすることにより、また、媒体がＰＣ、ＴＶでの場合はユーザがマウスで画像部分をクリックすることで直接リンク先の情報掲載サイト７の情報紹介画面に飛ぶことができる点である。これには、情報の画像部分にタグを貼って、動画の動きとともに移動させることで、ユーザが画像部分をタッチ又はクリックするだけで各タグに貼り付けられた上記情報紹介画面に移動できる技術が使われている。
【００４４】
これにより、独自のアプリやホームページなどのインターネット上の動画をタッチするだけで任意の情報掲載サイト７の情報紹介画面に移動できるため、ＥＣサイトや情報サイトなどで多岐にわたる、従来よりも直接的なＰＲが可能となる。また、複数の動画を掲載することができ、視聴者を飽きさせないためのフリック、タップ、スカッフアクションを使用することにより対話型の広告展開が可能となる。情報提供側からすると、動画サイトから直接販売サイトへ誘導することで、ユーザの情報への興味を購入という行動まで高めることが可能となる。  
【符号の説明】
【００４５】
１  管理サーバ
２ａ  動画広告配信アプリケーション
２ｂ  情報配信アプリケーション
３  スマートフォン
３ａ  商品紹介動画
３ｂ  商品紹介画面
３ｃ  商品情報
３ｄ  アイコン
４ａ  トップページ
４ｂ  「お気に入り」登録ページ
４ｃ  各社専用ページ
４ｄ  各社用アイコン
４ｅ  検索欄
４ｆ  送信ボタン
４ｇ  カメラ用アイコン
５  インターネット
６  商品掲載サイト
７  情報掲載サイト
１０ａ、１０ｂ、１０ｃ  商品情報動画
２０ａ、２０ｂ、２０ｃ  情報動画
３０ａ、３０ｂ、３０ｃ  受信用アイコン
４０ａ、４０ｂ、４０ｃ  受信用アイコン
Ｐ  商品
【図１】
2016021231.tif 000003
【図２】
2016021231.tif 000004
【図３】
2016021231.tif 000005
【図４】
2016021231.tif 000006
【図５】
2016021231.tif 000007